(57)【特許請求の範囲】
【請求項１】
伝動ケース２６の前部にエンジンＥを設け、このエンジンＥの回転動力をベルトケース１５内の伝動ベルト４４，４５を介して伝動ケース２６側に伝え、車輪１３を回転するように構成したハンドトラクタにおいて、斜め後方に向かって延設されたセンタードライブケース３内には正転軸１と逆転軸２とを同芯状に設け、更にそれらの下端部にベベルギヤ８，１０を夫々固着し、またセンタードライブケース３の下端に設けたベベルギヤケース１８によって正転ロータ軸５と逆転ロータ軸７とを二重軸形態に支持して設け、これらの正転ロータ軸５及び逆転ロータ軸７側に設けたベベルギヤ９，１１，１２と前記正転軸１及び逆転軸２側のベベルギヤ８，１０とを噛合せて正転軸１及び逆転軸２を互いに逆向きに回転駆動させたことを特徴とするハンドトラクタの正逆転耕耘装置。
【発明の詳細な説明】
【０００１】
【産業上の利用分野】
この発明は、正転耕耘爪と逆転耕耘爪とを有するハンドトラクタの正逆転耕耘装置に関し、耕耘装置の小形軽量化を図ることを目的とする。
【０００２】
【従来の技術、および発明が解決しようとする課題】
特開平５−５６７０３号公報の技術では、センタードライブケース９には単一の伝動軸９ａが設けられるが、ロータ軸１１，２２を正転と逆転に伝動するために、これらロータ軸１１，２２の周りにカウンタギヤ軸７７及びこの伝動ケース部を設ける。
【０００３】
この発明は、このようなロータ軸周りの伝動ケース部をできるだけ小型化して、小形軽量化を図るにある。
【０００４】
【課題を解決するための手段】
この発明は、伝動ケース２６の前部にエンジンＥを設け、このエンジンＥの回転動力をベルトケース１５内の伝動ベルト４４，４５を介して伝動ケース２６側に伝え、車輪１３を回転するように構成したハンドトラクタにおいて、斜め後方に向かって延設されたセンタードライブケース３内には正転軸１と逆転軸２とを同芯状に設け、更にそれらの下端部にベベルギヤ８，１０を夫々固着し、またセンタードライブケース３の下端に設けたベベルギヤケース１８によって正転ロータ軸５と逆転ロータ軸７とを二重軸形態に支持して設け、これらの正転ロータ軸５及び逆転ロータ軸７側に設けたベベルギヤ９，１１，１２と前記正転軸１及び逆転軸２側のベベルギヤ８，１０とを噛合せて正転軸１及び逆転軸２を互いに逆向きに回転駆動させたことを特徴とするハンドトラクタの正逆転耕耘装置の構成とする。
【０００５】
【作用】
センタードライブケース３内の動力は、同ケース３内にあって同芯状に設けられた正転軸１と逆転軸２下部のベベルギヤ８，１０を介して、正転ロータ軸５、逆転ロータ軸７側に伝達される。
【０００６】
【発明の効果】
この発明は、伝動ケース２６の前部にエンジンＥを設け、このエンジンＥの回転動力をベルトケース１５内の伝動ベルト４４，４５を介して伝動ケース２６側に伝え、車輪１３を回転するように構成したハンドトラクタにおいて、斜め後方に向かって延設されたセンタードライブケース３内には正転軸１と逆転軸２とを同芯状に設け、更にそれらの下端部にベベルギヤ８，１０を夫々固着し、またセンタードライブケース３の下端に設けたベベルギヤケース１８によって正転ロータ軸５と逆転ロータ軸７とを二重軸形態に支持して設け、これらの正転ロータ軸５及び逆転ロータ軸７側に設けたベベルギヤ９，１１，１２と前記正転軸１及び逆転軸２側のベベルギヤ８，１０とを噛合せて正転軸１及び逆転軸２を互いに逆向きに回転駆動させるように構成したので、耕耘爪を有するロータ軸を逆転させるための逆転機構が嵩張らず、センタードライブケース３下部の伝動ケース部を軽量コンパクトにでき、伝動ケース部の下方への突出量も小さくなって短い耕耘爪４，６により耕深を大きく維持でき、小形軽量の正逆転耕耘装置を得ることができるものである。
【０００７】
【実施例】
ハンドトラクタは、伝動ケース２６の左右に車輪１３を軸装１４して、前部に搭載のエンジンＥの駆動によって、ベルトケース１５内の伝動ベルトから伝動ケース２６内のギヤ機構乃至チェン機構等を経て伝動し走行できる。センタードライブケース３を後下方へ向けて設け、この下端部に耕耘装置１６を設け、伝動ケース２６の上部から正転軸１及び逆転軸２を各々連動して耕耘装置１６の耕耘爪４を正回転駆動し、耕耘爪６を逆回転駆動することができる。１７は操縦ハンドルである。
【０００８】
センタードライブケース３は、丸パイプ乃至楕円パイプ断面形態で、上端部は伝動ケース２６の上部に連結し、下端部にはベベルギヤケース１８を固着する。このベベルギヤケース１８に該パイプ状の逆転軸２の下端部をベアリング１９で軸受けし、この逆転軸２の内側にニードルベアリング２０を介装し、このニードルベアリング２０で正転軸１の下端部を軸支している。
又、この正転軸１に対して直交する方向のパイプ状のロータ軸７をベアリング２１で軸受けすると共に、このロータ軸７の内側にニードルベアリング２２を介在させ、このニードルベアリング２２を介して正転ロータ軸５を支持している。
【０００９】
正転軸１の下端部に固定のベベルギヤ８の一側に正転ロータ軸５と一体の正転ベベルギヤ９を噛合させると共に、反対側には逆転ロータ軸の逆転ベベルギヤ１２を噛合させる。この正転軸１の正回転によってロータ軸５を正回転させると共に一側のロータ軸７を逆回転する。又、逆転軸２の下端部のベベルギヤ１０は、該正転ベベルギヤ９と同じ側のロータ軸７の逆転ベベルギヤ１１と噛合させて、逆回転伝動する。
【００１０】
また、正転ロータ軸５の外側には正転ロータボス２３をピン２５連結し、機体の前進方向Ｆに対してこの正転ロータボス２３の回転周面に配設する耕耘爪４が前上側から下後方へ打込まれるように正回転Ａされる。又、逆転ロータ軸７の外側には逆転ロータボス２４を連結し、この逆転ロータボス２４の回転周面に配設する耕耘爪６が後上側から下前方へ打込まれるように逆回転Ｂされる。
【００１１】
なお、これら正転軸１のベベルギヤ８とロータ軸５の正転ベベルギヤ９とのギヤ比は、逆転軸２のベベルギヤ１０とこれに噛合のロータ軸７の逆転ベベルギヤ１１とのギヤ比とほぼ同じに設定される。又、これにより当然ながら、該ベベルギヤ８と噛合の逆転ロータボス２４側の逆転ベベルギヤ１２とのギヤ比も同じに設定される。
【００１２】
図３，図４はこの実施例で説明したハンドトラクタのハンドル部周辺の構成について説明したものであって、その特徴的部分は、操縦ハンドル１７部における変速クラッチレバー２７の操作構成にある。このハンドル１７の把持部２８に沿う変速クラッチレバー２７を、この把持部２８に沿う方向へ左右に移動させることによって、低速側Ｌと高速側Ｈとに切替えて変速とクラッチ操作を行うことができるようにしている。
【００１３】
操縦ハンドル１７は把持部２８がループ状に左右連結されていて、この左右両側部に変速クラッチレバー２７の左右両端部を上下回動自在に、かつ左右摺動自在にして支持するブラケット２９を設ける。３０はこれら各ブラケット２９に対してロールピン３１によって固定される左右方向のレバーステーであり、片側のレバーステー３０にはデテント溝３２を有する。
【００１４】
ループ状の変速クラッチレバー２７の左右両端部にはボス３３を有して、これらのボス３３を該レバーステー３０に嵌合させている。又、一方のボス３３には前記デテント溝３２に嵌合するデテントボール３４がばね３５で弾発嵌合されて、クラッチレバー２９の左右方向の移動位置Ｌ，Ｈに維持できる。この変速クラッチレバー２７は前記操縦ハンドル１７の把持部２８にほぼ沿う形態にしてループ状に形成されている。
【００１５】
このような変速クラッチレバー２７の左右一対のボス部３３には突子３６を設けて、ブラケット２９にピン３７回りに回動自在でワイヤー３８連動のアーム３９のアームピン４０に係合させて、この変速クラッチレバー２７をばね４１に抗して下側の把持部２８側へ回動Ｃすることによって、該ワイヤー３８を引くことができ、これによってこのワイヤー３８と連結するベルトテンションクラッチプーリ４２、又は４３（図２）を入り操作できる。このクラッチプーリ４２，４３は、エンジンＥの駆動プーリと前記伝動ケース２６側の入力軸プーリとの間に、低速用伝動ベルト４４と高速用伝動ベルト４５との二本が掛け渡されており、これらのベルト４４，４５をクラッチプーリ４２，４３で各別に張圧することにより、入力軸プーリを低速Ｌ、高速Ｈに切替えて伝動することができる。
【００１６】
変速クラッチレバー２７を左側へ移動すると低速位置となり、左側の突子３６がアームピン４０に係合して、低速Ｌのテンションクラッチプーリ４２をベルト４４へ張圧させて入り操作できるが、このとき右側の突子３６はアームピン４０に係合できず操作できない。又、高速Ｈ変速するときは、変速クラッチレバー２７を右側へ移動させて、右側の突子３６をアームピン４０に係合させて同様の操作を行えばよく、これによって高速側のテンションクラッチプーリ４３がベルト４５を張圧して伝動させる。
【図面の簡単な説明】
【図１】耕耘装置部の背面図。
【図２】全体側面図。
【図３】操縦ハンドル部の平面図と、その一部の拡大平面図。
【図４】操縦ハンドル部の斜視図と、その一部の拡大側面図。
【符号の説明】
１    正転軸
２    逆転軸
３    センタードライブケース
４    耕耘爪
５    ロータ軸
６    耕耘爪
７    ロータ軸
８    ベベルギヤ
９    ベベルギヤ
１０    ベベルギヤ
１１    ベベルギヤ
１２    ベベルギヤ
【図１】
0003572723.tif 000002
【図２】
0003572723.tif 000003
【図３】
0003572723.tif 000004
【図４】
0003572723.tif 000005